(57)【特許請求の範囲】
【請求項１】
浴室の天井に設けられる浴室乾燥機であって、
前記浴室の天井に形成され、前記浴室内の空気を吸い込む吸込部と、
前記吸込部から吸い込まれた空気を流す内部流路と、
前記浴室の天井に形成され、前記内部流路を流れた空気を前記浴室内に吹き出す吹出部と、を備え、
前記吹出部は、前記吹出部から吹き出す空気の方向を案内するガイド部を有し、
前記吹出部から吹き出される空気は、前記浴室の天井側に吹き出されるときに、前記ガイド部に衝突し、湿気の蒸発を促して前記浴室の天井を乾燥するように前記浴室の天井に沿った状態で前記吸込部に向かうように構成され、前記浴室の浴室空間の下部側に吹き出されるときに、前記ガイド部に衝突することないように構成されていることを特徴とする浴室乾燥機。
【請求項２】
前記吹出部の長手方向において、前記吹出部の一端部から該一端部寄りの前記浴室の壁面までの距離と、前記吹出部の他端部から該他端部寄りの前記浴室の壁面までの距離とは、いずれも前記吹出部の長手方向寸法よりも小さいことを特徴とする請求項１に記載の浴室乾燥機。
【請求項３】
前記吸込部の長手方向において、前記吸込部の一端部から該一端部寄りの前記浴室の壁面までの距離と、前記吸込部の他端部から該他端部寄りの前記浴室の壁面までの距離とは、いずれも前記吸込部の長手方向寸法よりも小さいことを特徴とする請求項１又は請求項２に記載の浴室乾燥機。
【請求項４】
前記吸込部及び前記吹出部は、それぞれの長手方向が互いに略平行となるように設けられていることを特徴とする請求項１乃至請求項３のいずれか１項に記載の浴室乾燥機。
【発明の詳細な説明】
【技術分野】
【０００１】
本発明は、浴室の天井に設けられる浴室乾燥機に関する。
【背景技術】
【０００２】
浴室内に気流を生成することで、浴室内を乾燥させる浴室乾燥機が広く普及している。このような浴室乾燥機では、ファンの駆動により浴室内の空気を吸い込み、当該空気の一部を浴室外に排出するとともに、当該空気の残りをそのまま若しくは暖めてから浴室内に吹き出して戻すものが一般的である。浴室内を循環する気流により、浴室内の残水の蒸発が促され、カビの発生を抑制することができる。
【０００３】
浴室乾燥機は、一般的に装置全体がユニット化されており、浴室の天井にユニット全体を嵌め込むことにより構成される。例えば、下記特許文献１に開示される浴室乾燥機も、ユニット状の本体を浴室の天井パネルの中央に嵌め込むことにより取り付ける構成である。
【先行技術文献】
【特許文献】
【０００４】
【特許文献１】特開２００４−１８４０５０号公報
【発明の概要】
【発明が解決しようとする課題】
【０００５】
ところで、浴室の天井には湿気がたまりやすく、当該湿気がたまることによって天井に結露が発生するおそれがあった。特許文献１には、天井に浴室乾燥機を設け、吹出口から吹き出された空気が天井に沿うように吹き出されることが記載されているものの、吹出口から吹き出された空気は、浴室内全体を循環した後に吸込口から吸い込まれるようになっている。このような浴室全体を循環した後の空気は湿気が多く含まれるため、この湿気を多く含んだ空気が天井に取り付けられた吸込口から吸い込まれるように構成すると、かえって天井に結露が発生しやすくなる。このように、従来の浴室乾燥機では、天井の結露防止に関する課題が依然として残っており、改善する必要があった。
【０００６】
本発明はこのような課題に鑑みてなされたものであり、その目的は、浴室内の天井の結露防止を図ることができる浴室乾燥機を提供することにある。
【課題を解決するための手段】
【０００７】
上記課題を解決するために、本発明に係る浴室乾燥機は、浴室の天井に設けられる浴室乾燥機であって、前記浴室の天井に形成され、前記浴室内の空気を吸い込む吸込部と、前記吸込部から吸い込まれた空気を流す内部流路と、前記浴室の天井に形成され、前記内部流路を流れた空気を前記浴室内に吹き出す吹出部と、を備え、前記吹出部は、前記吹出部から吹き出す空気の方向を案内するガイド部を有し、前記吹出部から吹き出される空気は、前記浴室の天井側に吹き出されるときに、前記ガイド部に衝突し、湿気の蒸発を促して前記浴室の天井を乾燥するように前記浴室の天井に沿った状態で前記吸込部に向かうように構成され、前記浴室の浴室空間の下部側に吹き出されるときに、前記ガイド部に衝突することないように構成されていることを特徴とする浴室乾燥機。
【０００８】
本発明に係る浴室乾燥機によれば、吹出部から吹き出される空気が浴室の天井に沿った状態で吸込部に向かうように、吹出部から空気が吹き出される。これにより、吹出部から吹き出される空気が、浴室内を循環せずに天井に沿ったまま吸込部に吸い込ませることができる。このため、吹出部から吹き出される空気が浴室内を循環した後に吸込部に吸い込まれることにより、湿気を多く含んだ空気が浴室の天井にたまることを防止することができる。その結果、天井に結露が発生することを防止することができる。
【０００９】
また本発明に係る浴室乾燥機では、前記吹出部には、前記吹出部から吹き出す空気が前記浴室の天井に沿った状態で前記吸込部に向かうように、前記吹出部から吹き出す空気の方向を案内するガイド部を備えていることも好ましい。
【００１０】
この好ましい態様では、吹出部にガイド部を備えているので、吹出部から吹き出される空気の方向を、浴室内を循環せずに天井に沿ったまま吸込部に向かうように案内することができ、より天井を効率的に乾燥させることができる。
【００１１】
また本発明に係る浴室乾燥機では、前記吹出部の長手方向において、前記吹出部の一端部から該一端部寄りの前記浴室の壁面までの距離と、前記吹出部の他端部から該他端部寄りの前記浴室の壁面までの距離とは、いずれも前記吹出部の長手方向寸法よりも小さいことも好ましい。
【００１２】
この好ましい態様では、吹出部の長手方向寸法に対して、吹出部の各端部から浴室の各壁面までの距離を小さくしたことで、吹出部から吹き出した空気は、各壁面近傍の空気を巻き込みながら、幅広のカーテン状の気流を形成するため、気流を天井の広範囲に行きわたらせ、乾燥させることが可能となる。
【００１３】
また本発明に係る浴室乾燥機では、前記吸込部の長手方向において、前記吸込部の一端部から該一端部寄りの前記浴室の壁面までの距離と、前記吸込部の他端部から該他端部寄りの前記浴室の壁面までの距離とは、いずれも前記吸込部の長手方向寸法よりも小さいことも好ましい。
【００１４】
この好ましい態様では、吸込部の長手方向寸法に対して、吸込部の各端部から浴室の各壁面までの距離を小さくしたことで、吸込部により吸い込む浴室内の空気は、各壁面近傍の空気を巻き込みながら、幅広のカーテン状の気流を形成するため、気流を天井の広範囲に行きわたらせ、乾燥させることが可能となる。
【００１５】
また本発明に係る浴室乾燥機では、前記吸込部及び前記吹出部は、それぞれの長手方向が互いに略平行となるように設けられていることも好ましい。
【００１６】
この好ましい態様では、吸込部と吹出部のそれぞれの長手方向を互いに略平行とすることで、吹出部から空気を吹き出すことで形成した幅広のカーテン状の気流を、その形状を崩すことなく吸込部に至らせることができるため、気流を天井の広範囲に行きわたらせ、乾燥させることが可能となる。
【発明の効果】
【００１７】
本発明によれば、浴室内の天井の結露防止を図ることができる浴室乾燥機を提供することができる。
【図面の簡単な説明】
【００１８】
【図１】本発明の第１実施形態に係る浴室乾燥機を備えた浴室乾燥機付きユニットバスを表す斜視模式図である。
【図２】本発明の第１実施形態に係る浴室乾燥機を備えた浴室乾燥機付きユニットバスを表す平面視模式図である。
【図３】本発明の第１実施形態に係る浴室乾燥機の吹出口近傍を表す断面視模式図である。
【図４】本発明の第１実施形態に係る浴室乾燥機の吹出口近傍を表す断面視模式図である。
【図５】本発明の第１実施形態に係る浴室乾燥機における送気装置の構成を説明するための図である。
【発明を実施するための形態】
【００１９】
以下、添付図面を参照しながら本発明の実施形態について説明する。説明の理解を容易にするため、各図面において同一の構成要素に対しては可能な限り同一の符号を付して、重複する説明は省略する。
【００２０】
まず、図１を参照して、本発明の第１実施形態に係る浴室乾燥機及びそれを備えた浴室乾燥機付きユニットバスの概略を説明する。図１は、本発明の第１実施形態に係る浴室乾燥機及びそれを備えた浴室乾燥機付きユニットバスを表す斜視模式図である。
【００２１】
図１に表すように、浴室乾燥機付きユニットバス１は、ユニットバス２と、浴室乾燥機３と、を有している。
【００２２】
ユニットバス２は、正面パネル２１と、背面パネル２２と、左側面パネル２３と、右側面パネル２４と、床パネル２５と、天井パネル２６と、を有している。ユニットバス２の内部には、これら６枚のパネルによって囲まれる略直方体形状の浴室空間２０が形成されている。
【００２３】
以下、背面パネル２２から正面パネル２１にわたる方向（矢印Ｘ方向）を「奥行方向」という。また、奥行方向に直交する方向であって、左側面パネル２３から右側面パネル２４にわたる方向（矢印Ｙ方向）を「左右方向」という。さらに、床パネル２５から天井パネル２６にわたる方向を「上下方向」という。
【００２４】
浴室空間２０には、浴槽２Ｂが設けられている。浴槽２Ｂは、左右方向がその長手方向となるように設けられ、背面パネル２２寄りの位置に配置されている。床パネル２５の上面のうち、浴槽２Ｂよりも正面パネル２１側の部分は、入浴者が洗身や洗髪を行う場所となる洗い場２Ｗとされており、浴槽２Ｂと洗い場２Ｗとは奥行方向に並べられている。浴槽２Ｂと洗い場２Ｗが並べられることにより、浴室空間２０の下部には段差が生じることとなり、洗い場２Ｗの端部と、浴槽２Ｂのリム部２Ｂ１の端部とを繋ぐように、浴槽２Ｂの側面を隠す化粧板であるエプロン２Ｅが立設されている。
【００２５】
浴室乾燥機３は、吸気装置３１と、連通管３３と、送気装置３４と、を有しており、浴室空間２０の天井パネル２６に設けられている。吸気装置３１は、その下方に開設された吸込口３２から浴室空間２０の空気を吸い込み、その内部に取り込む装置である。送気装置３４は、吸気装置３１と左右方向に間隔を空けて配置されており、内部に取り込んだ空気を加熱し、その下方に開設された吹出口３５から浴室空間２０に吹き出す装置である。連通管３３は、吸気装置３１及び送気装置３４の内部に連通しており、吸気装置３１の内部に取り込まれた空気を、送気装置３４の内部に流す管状部材である。尚、図１では、吸気装置３１及び送気装置３４の内部構成の図示を省略している。
【００２６】
浴室乾燥機３が運転することにより、浴室空間２０の空気は、吸気装置３１によって吸い込まれ、その後、送気装置３４によって浴室空間２０に吹き出して戻される。すなわち、浴室乾燥機３を介して浴室空間２０の空気が循環することとなる。循環しながら送気装置３４によって繰り返し加熱されることで、浴室空間２０の空気が昇温していく。
【００２７】
吸気装置３１の吸込口３２は、複数の孔３２ａが奥行方向に互いに離間して１列に並べられることで構成されており、その外形は、奥行方向を長手方向とする扁平形状となっている。同様に、送気装置３４の吹出口３５は、複数の孔（図１において図示せず）が奥行方向に互いに離間して１列に並べられることで構成されており、その外形は、奥行方向を長手方向とする扁平形状となっている。吸込口３２の複数の孔３２ａが並べられる方向と、吹出口３５の複数の孔が並べられる方向とは、略平行とされている。吸込口３２と吹出口３５は、それぞれ空気の吸い込みと吹き出しを行うことにより、浴室空間２０に幅広のカーテン状の気流を形成する。
【００２８】
次に、図２を参照して、吸込口３２及び吹出口３５の配置について説明する。図２は、本発明の第１実施形態に係る浴室乾燥機及びそれを備えた浴室乾燥機付きユニットバスを表す平面視模式図である。詳細には、図２は、ユニットバス２と、吸込口３２及び吹出口３５との位置関係を表す模式図である。
【００２９】
図２に表すように、左右方向（矢印Ｙ方向）において、天井パネル２６の端部２６Ｌ（左側面パネル２３側）から端部２６Ｒ（右側面パネル２４側）までの領域を、領域Ｙ１、Ｙ２、Ｙ３に３等分して見た場合に、吹出口３５は領域Ｙ１に設けられ、吸込口３２は領域Ｙ３に設けられている。換言すれば、天井パネル２６の左右方向寸法をＬｙとすると、吹出口３５は端部２６Ｌから距離Ｌｙ／３の範囲内に設けられ、吸込口３２は端部２６Ｒから距離Ｌｙ／３の範囲内に設けられている。
【００３０】
吹出口３５の長手方向である奥行方向（矢印Ｘ方向）において、吹出口３５の端部から天井パネル２６の端部２６Ｆまでの距離３５Ｘ１と、吹出口３５の端部から天井パネル２６の端部２６Ｂまでの距離３５Ｘ２は、いずれも吹出口３５の長手方向寸法３５Ｘよりも小さい。これにより、吹出口３５の長手方向寸法３５Ｘに対して、吹出口３５の各端部から正面パネル２１、背面パネル２２までの距離が小さくなる。
【００３１】
また、吸込口３２の長手方向である奥行方向（矢印Ｘ方向）において、吸込口３２の端部から天井パネル２６の端部２６Ｆまでの距離３２Ｘ１と、吸込口３２の端部から天井パネル２６の端部２６Ｂまでの距離３２Ｘ２は、いずれも吸込口３２の長手方向寸法３２Ｘよりも小さい。これにより、吸込口３２の長手方向寸法３２Ｘに対して、吸込口３２の各端部から正面パネル２１、背面パネル２２までの距離が小さくなる。
【００３２】
続いて、図３〜図５を参照して、送気装置３４の構成について説明する。図３及び図４は、本発明の第１実施形態に係る浴室乾燥機の吹出口近傍を表す断面視模式図である。図５は、本発明の第１実施形態に係る浴室乾燥機における送気装置の構成を説明するための図である。詳細には、図３は、浴室空間２０及び天井パネル２６へ空気が吹き出される状態を表す模式図であり、図４は、浴室空間２０へ空気が吹き出される状態を表す模式図である。
【００３３】
図３に表すように、送気装置３４は、ケーシング３６と、パイプ４３と、ガイド３００と、を有している。
【００３４】
ケーシング３６は、送気装置３４の筐体となる金属製箱体であり、その外形は奥行方向（図１の矢印Ｘ方向）を長手方向とする略直方体形状を呈している。ケーシング３６の内部には、パイプ４３と、ファン４１（図５参照）が配置されている。
【００３５】
ファン４１は、電力の供給を受けて運転する電動送風機であり、ここでは遠心型ファンを採用している。ファン４１のシロッコファン（図示せず）は、上下方向に延びる軸を中心として回転する。これにより、上方に向けて開口する吸引口４１ａから空気が吸引され、図示されていない内部流路を通ってパイプ４３の奥行方向で背面パネル２２側に向けて吹き出される
【００３６】
パイプ４３は、ファン４１と奥行方向（矢印Ｘ方向）に隣り合うように配置された金属製の管状部材である。パイプ４３は、ファン４１とは反対側の端部４３ｂが閉塞されている一方で、ファン４１側の端部４３ａが開放されている。これにより、ファン４１が吹き出した空気は、端部４３ａからパイプ４３の内部に流入する。後述するように、パイプ４３の内部には、モータ５００（図５参照）の回転駆動と併せて回動自在なルーバー４６２が設けられている。
【００３７】
ケーシング３６の内部は、パイプ４３が配置されることにより、パイプ４３の外部の第１内部流路４０１と、第１内部流路４０１の下流側の流路であってパイプ４３の内部の第２内部流路４０２とに区画される。すなわち、ケーシング３６の内部に取り込まれ、第１内部流路４０１を奥行方向で正面パネル２１側に向かって流れた空気は、ファン４１によって吹き出され、折り返すようにして第２内部流路４０２を奥行方向で背面パネル２２側に向かって流れることになる。
【００３８】
パイプ４３は、その下方の一部に切欠４３ｃを有している。また、その切欠４３ｃを覆うように、パイプ４３の内部には断面が円弧形状のルーバー４６２が設けられている。ルーバー４６２は、その一部に孔３５ｂｂ、孔３５ａａ、孔３５ｂｂが奥行方向（矢印Ｘ方向）に互いに離間した位置に開設されている。孔３５ｂｂは、孔３５ａａよりも大きい開口形状を有している。パイプ４３の内部の第２内部流路４０２は、この孔３５ａａで構成される第１吹出口３５ａ及び孔３５ｂｂで構成される第２吹出口３５ｂを介して浴室空間２０と連通している。上記のように、孔３５ａａよりも孔３５ｂｂの方が大きい開口形状を有しているため、第１吹出口３５ａから吹き出される空気の流量よりも、第２吹出口３５ｂから吹き出される空気の流量の方が大きくなる。
【００３９】
ルーバー４６２は、図４に示すように、パイプ４３の中心軸Ｃを中心として、パイプ４３の内側面に沿って矢印Ｒで表す範囲で回動可能に構成されている。このルーバー４６２の回動により、第１吹出口３５ａ及び第２吹出口３５ｂが空気を吹き出す方向が所定範囲内で変化する。
【００４０】
ガイド３００は、吹出口３５から吹き出す空気の方向を、天井パネル２６に沿うように案内するための部材である。ガイド３００は、ルーバー４６２の一部を覆い、天井パネル２６に沿うように配置される中空部材である。ガイド３００は、ルーバー４６２側の端部３００ａと、天井パネル２６側の端部３００ｂとが開放されている。これにより、ルーバー４６２がパイプ４３の内側面に沿って回動したときに、ルーバー４６２に開設された第１吹出口３５ａ又は第２吹出口３５ｂから吹き出される空気をガイド３００内に流入させ、ガイド３００の端部３００ｂから天井パネル２６に沿うように空気を吹き出すことが可能となっている。
【００４１】
より詳細には以下のように吹出口３５から吹き出す空気がガイド３００により案内される。例えば図３に示すようにルーバー４６２が回動したとき、すなわち、第２吹出口３５ｂと浴室空間２０とが連通し、第１吹出口３５ａとガイド３００内とが連通するようにルーバー４６２が回動したときには、矢印Ｆ１２で示すように、第２吹出口３５ｂから吹き出される空気は浴室空間２０内へ向かい、矢印Ｆ１１で示すように、第１吹出口３５ａから吹き出される空気はガイド３００内へ向かう。第１吹出口３５ａからガイド３００内へ向かう空気は、ガイド３００内を通過し、その端部３００ｂから天井パネル２６に沿うように吹き出される。天井パネル２６に沿うように吹き出された空気は、天井パネル２６に沿った状態で進行した後、そのまま吸込口３２（図１参照）に吸い込まれる。このように、ガイド３００は、第１吹出口３５ａから吹き出される空気が、天井パネル２６に沿った状態で、浴室空間２０を循環せずにそのまま吸込口３２へと向かうように、第１吹出口３５ａから吹き出される空気の方向を案内する。
【００４２】
なお、図３では、ガイド３００が、第１吹出口３５ａから吹き出される空気の方向を案内する状態を示しているが、ガイド３００が第２吹出口３５ｂから吹き出される空気の方向を案内するように構成しても良い。この場合には、ガイド３００は、第２吹出口３５ｂから吹き出される空気が天井パネル２６に沿った状態でそのまま吸込口３２へと向かうように、第２吹出口３５ｂから吹き出される空気の方向を案内する。また、ガイド３００の形状や大きさは適宜選択可能である。
【００４３】
また、例えば図４に示すようにルーバー４６２が回動したとき、すなわち、第１吹出口３５ａと浴室空間２０とが連通する一方で、第２吹出口３５ｂが浴室空間２０及びガイド３００の両方に連通しないようにルーバー４６２が回動したときには、第１吹出口３５ａから浴室空間２０のみに空気が吹き出される。浴室空間２０へと吹き出された空気は、浴室空間２０全体を循環した後、吸込口３２へ吸い込まれるようになっている。
【００４４】
以上のように構成された本発明の第１実施形態に係る浴室乾燥機によれば、第１吹出口３５ａから吹き出される空気が、天井パネル２６に沿った状態で吸込口３２へと向かうように、第１吹出口３５ａから空気が吹き出される。これにより、第１吹出口３５ａから吹き出される空気が、浴室空間２０を循環せずに天井パネル２６に沿ったまま吸込口３２に吸い込ませることができる。このため、第１吹出口３５ａから吹き出される空気が浴室空間２０を循環した後に吸込口３２に吸い込まれることにより、湿気を多く含んだ空気が浴室空間２０の天井パネル２６にたまることを防止することができる。その結果、浴室空間２０の天井パネル２６に結露が発生することを防止することができる。
【００４５】
また、第１吹出口３５ａから吹き出す空気の方向を案内するガイド３００を備えているため、第１吹出口３５ａから吹き出される空気を、浴室空間２０内を循環せずに天井パネル２６に沿った状態で吸込口３２に向かう方向に容易に案内することができ、より天井パネル２６を効率的に乾燥させることができる。
【００４６】
また、吹出口３５の端部から正面パネル２１までの距離３５Ｘ１と、吹出口３５の端部から背面パネル２２までの距離３５Ｘ２を、いずれも吹出口３５の長手方向寸法３５Ｘよりも小さくすることで、吹出口から吹き出した空気は、正面パネル２１及び背面パネル２２近傍の空気を巻き込みながら、幅広のカーテン状の気流を形成する。これにより、気流を天井パネル２６の広範囲に行きわたらせ、乾燥させることが可能となる。
【００４７】
また、吸込口３２の端部から正面パネル２１までの距離３２Ｘ１と、吸込口３２の端部から背面パネル２２までの距離３２Ｘ２は、いずれも吸込口３２の長手方向寸法３２Ｘよりも小さくしたことで、吸込口３２により吸い込む浴室空間２０の空気は、正面パネル２１及び背面パネル２２近傍の空気を巻き込みながら、幅広のカーテン状の気流を形成するため、気流を浴室空間２０の広範囲に行きわたらせ、乾燥させることが可能となる。
【００４８】
また、吸込口３２の複数の孔３２ａが並べられる方向であって、吸込口３２の長手方向と、吹出口３５の複数の孔３５ａａ、３５ｂｂが並べられる方向であって、吹出口３５の長手方向とを、互いに略平行としたことで、吹出口３５から空気を吹き出すことで形成した幅広のカーテン状の気流を、その形状を崩すことなく吸込口３２に至らせることができるため、気流を天井パネル２６に広範囲に行きわたらせ、乾燥させることが可能となる。
【００４９】
なお、上記実施例に加えてファン４１の下流側に例えばヒータ等の加熱手段（図示せず）を設置して、吹き出す空気を暖めて相対湿度を下げることにより、天井パネル２６の結露防止効果をより一層高めることができる。
【００５０】
さらに、吸い込んだ空気の一部を浴室外に排気するように構成して、浴室の扉などに設けられた開口から浴室外の空気を浴室内へ積極的に取り入れるようにすることも可能である。入浴直後など浴室内の湿度が非常に高い場合、浴室外の湿度の低い空気を浴室内へ取り入れることにより、浴室内の湿度を速やかに下げて天井パネル２６の結露防止効果を期待できる。
【００５１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５２】
１    ：浴室乾燥機付きユニットバス１
２Ｂ  ：浴槽
２Ｂ１：リム部
２Ｅ  ：エプロン
２Ｗ  ：洗い場
３    ：浴室乾燥機
２０  ：浴室空間（浴室）
２６  ：天井パネル（天井）
３１  ：吸気装置
３２  ：吸込口（吸込部）
３３  ：連通管
３４  ：送気装置
３５  ：吹出口（吹出部）
３６  ：ケーシング
４１  ：ファン
４３  ：パイプ
３００：ガイド（ガイド部）
４０１：内部流路（内部流路）
４０２：内部流路（内部流路）
４６２：ルーバー
【図１】
0006429070.tif 000002
【図２】
0006429070.tif 000003
【図３】
0006429070.tif 000004
【図４】
0006429070.tif 000005
【図５】
0006429070.tif 000006